(57)【要約】  ハンドヘルドデバイスは、接触面、光モジュール、プロセッサ、表示モジュール及びユーザ操作可能なスイッチを含む。光モジュールは、接触面に配置される。光モジュールは、少なくとも１つの発光素子と、少なくとも１つの受光素子とを有する。少なくとも１つの受光素子は、接触面に関連した光シールドを有する。光シールドは、接触面が、患者の組織に当接するとき、接触面からの周囲の光を排除するように構成されている。プロセッサは、光モジュールと結合され、組織に対応して、酸素飽和度の測定値を決定するための命令を実行するように構成されている。表示モジュールは、プロセッサに結合され、酸素飽和度の測定値を示すように構成されている。ユーザ操作可能なスイッチは、プロセッサ、光モジュール、及び、表示モジュールの少なくとも１つを起動するように構成されている。【選択図】図２
2016517310.tif 000002
【特許請求の範囲】
【請求項１】
接触面と、
前記接触面に配置され、少なくとも１つの発光素子と少なくとも１つの受光素子を有し、前記少なくとも１つの受光素子は、前記接触面に関連した光シールドを有し、前記光シールドは、前記接触面が患者の組織と当接するとき、前記接触面からの周囲の光を排除するように構成されている光モジュールと、
前記光モジュールと結合され、前記組織に対応した酸素飽和度の測定値を決定する命令を実行するように構成されたプロセッサと、
前記プロセッサと結合され、酸素飽和度の測定値を示すように構成された表示モジュールと、
前記プロセッサ、前記光モジュール、及び、表示モジュールの少なくとも１つを起動するように構成されたユーザ操作可能なスイッチと、
を備えることを特徴とするハンドヘルドデバイス。
【請求項２】
前記ユーザ操作可能なスイッチは、前記接触面に結合されていることを特徴とする請求項１に記載のデバイス。
【請求項３】
前記ユーザ操作可能なスイッチは、前記組織が前記接触面と接触するとき、作動するように構成されている、ことを特徴とする請求項１に記載のデバイス。
【請求項４】
前記少なくとも１つの発光素子は、所定の組織の深さにおいて、領域的酸素飽和度の測定値に対応した距離だけ、前記少なくとも１つの受光素子から離れている、ことを特徴とする請求項１に記載のデバイス。
【請求項５】
前記光シールドは、持ち上がった縁（raised curb）を含む、ことを特徴とする請求項１に記載のデバイス。
【請求項６】
前記プロセッサと結合され、リモートデバイスに、酸素飽和度の測定値を遠隔測定送信するように構成される無線送信機を更に含む、ことを特徴とする請求項１に記載のデバイス。
【請求項７】
前記接触面に結合し、前記プロセッサに圧力の測定値を提供するように構成された圧力センサを更に含む、ことを特徴とする請求項１に記載のデバイス。
【請求項８】
前記接触面に結合し、前記プロセッサに温度の測定値を提供するように構成された温度センサを更に含む、ことを特徴とする請求項１に記載のデバイス。
【請求項９】
前記接触面に結合され、ユーザによって握られるように構成されたハンドル部を更に含む、ことを特徴とする請求項１に記載のデバイス。
【請求項１０】
前記プロセッサは、領域的酸素飽和度の測定値を生成するように構成されていることを特徴とする請求項１に記載のデバイス。
【請求項１１】
光モジュールを接触面と結合することであって、前記光モジュールは、少なくとも１つの発光素子と少なくとも１つの受光素子を有することと、
前記少なくとも１つの接触面に光シールドを提供することであって、前記光シールドは、前記接触面が、患者の組織に当接するとき、前記接触面からの周囲の光を排除するように構成されていることと、
前記光モジュールと通信するように、プロセッサを結合することと、
前記プロセッサを、前記組織に対応して、酸素飽和度の測定値を決定するための命令を実行するように構成することと、
表示モジュールを前記プロセッサに結合することであって、前記表示モジュールは、酸素飽和度の測定値を示すように構成されていることと、
ユーザ操作可能なスイッチを、前記光モジュール、前記プロセッサ、及び、前記表示モジュールの少なくとも１つを起動するように構成することと、
を備える方法。
【請求項１２】
前記ユーザ操作可能なスイッチを構成することは、前記組織が前記接触面と接触するとき、前記スイッチを作動するように構成することを含む、ことを特徴とする請求項１１に記載の方法。
【請求項１３】
前記組織内の光の浸透の所定の深さに基づいて、前記少なくとも１つの発光素子と前記少なくとも１つの受光素子の相対的位置を選択することを更に備える、ことを特徴とする請求項１１に記載の方法。
【請求項１４】
前記接触面に前記光モジュールを結合することは、持ち上がった縁（raised curb）を提供することを含む、ことを特徴とする請求項１１に記載の方法。
【請求項１５】
無線送信機を前記プロセッサに結合することであって、前記無線送信機は、リモートデバイスに酸素飽和度の測定値を遠隔測定送信するように構成されていることを更に備える、ことを特徴とする請求項１１に記載の方法。
【請求項１６】
前記組織に関連した血圧に対応する信号を生成するようにセンサを構成することを更に含む、ことを特徴とする請求項１１に記載の方法。
【請求項１７】
前記組織に関連した温度に対応する信号を生成するようにセンサを構成することを更に含む、ことを特徴とする請求項１１に記載の方法。
【請求項１８】
前記プロセッサは、領域的酸素飽和度の測定値を生成するように構成されている、ことを特徴とする請求項１１に記載の方法。
【請求項１９】
接触面を有し、ハンドルグリップ部を有し、前記接触面は、前記ハンドルグリップ部に対し、実質的に動かない筐体と、
前記接触面に結合される複数の光素子と、
前記接触面に結合し、前記接触面に、患者の組織面が当接するとき、前記複数の光素子からの周囲の光を排除するように構成されている光シールドと、
前記複数の光素子からの信号に基づいて、組織酸素化の測定値を決定するように構成された処理モジュールと、
を備えることを特徴とするシステム。
【請求項２０】
前記接触面は、前記ハンドルグリップ部に堅固に取り付けられている、ことを特徴とする請求項１９に記載のシステム。
【請求項２１】
前記複数の光素子は、少なくとも１つの発光器と少なくとも１つの検出器を含む、ことを特徴とする請求項１９に記載のシステム。
【請求項２２】
前記光素子は、前記光シールドに対し、離れて配置されている、ことを特徴とする請求項１９に記載のシステム。
【請求項２３】
前記処理モジュールは、デジタルプロセッサを含む、ことを特徴とする請求項１９に記載のシステム。
【発明の詳細な説明】
【技術分野】
【０００１】
＜優先権の主張＞
この特許出願は、２０１３年３月１４日出願の米国特許出願１３／８２９、１５８号に対し、優先権の利益を主張し、その全体は、ここに、参照によって組み込まれる。
【背景技術】
【０００２】
領域的酸素飽和度の測定は、組織の健康に関する指標を提供することが出来る。領域的酸素飽和度を測定する既存の技術は、不十分である。一例は、有線で処理モジュールに結合された光センサを含む。そのセンサは、接着剤あるいは、患者を囲むストラップによって患者に固定される。
【０００３】
接続ワイヤによる、このセンサと処理モジュールとの配置は、いくつの適用において不十分である。例えば、緊急時の状況あるいは、戦場環境においては、モジュールと接続ワイヤとの分離性は、不便であり、故障となりやすい。
【発明の概要】
【０００４】
本発明者は、中でも、解決されるべき問題が、迅速に確立された一時的な組織への結合に基づいて、領域的酸素飽和度を測定するシステムを提供することを含みうることと認識した。本主題は、手動で配置され、組織領域に短い間維持されるセンサデバイスと、センサデバイスと無線で通信するリモートデバイスを含むシステムによるなど、この問題への解決を提供することを支援する。
【０００５】
この概要は、本特許出願の主題の概要を提供することを意図している。これは、本発明の排他的あるいは網羅的説明を提供することを意図していない。詳細な説明が、本特許出願についての更なる情報を提供するために含まれている。
【図面の簡単な説明】
【０００６】
図面においては、必ずしも正しいスケールで描かれていないが、同様な参照符号は、異なる図における同様なコンポーネントを記述する。異なる添え字を有する同様な参照符号は、同様なコンポーネントの異なる例を表す。図面は、一般に、本文書で説明される様々な実施形態を、例示的に、しかし、限定的ではなく、図示する。
【０００７】
【図１】一例に従った、システムの図を図示する。
【図２】一例に従った、センサデバイスの図を図示する。
【図３】一例に従った、センサデバイスのセンサ素子を図示する。
【図４】一例に従った、方法のフローチャートを図示する。
【図５】一例に従った、方法のフローチャートを図示する。
【発明を実施するための形態】
【０００８】
図１は、一例に従った、システム１００を図示する。システム１００は、センサデバイス１１０A、リモートデバイス１５０及び通信ネットワーク１７０を含む。
【０００９】
一例では、センサデバイス１１０Aは、リンク１８０によって、ネットワーク１７０と無線で通信するように構成されている。さらに、サービスデバイス１１０Aは、リンク１６０によって、リモートデバイス１５０と通信するように構成されている。
【００１０】
リンク１６０あるいは１８０は、近接場通信チャネル（誘導結合など）あるいは、ファーフィールド無線周波数（RF)チャネルを用いて運ばれるシンボルに基づく通信チャネルを含むことが出来る。様々な例においては、リンク１６０あるいはリンク１８０は、ブルートゥースRF通信チャネルあるいは赤外線通信チャネルを含むことが出来る。リンク１６０あるいは、リンク１８０は、双方向、あるいは、単方向とすることが出来る。
【００１１】
一例では、リンク１６０は、有線接続を含む。リモートデバイス１５０は、センサデバイス１１０Aとリモートデバイス１５０の物理的結合を可能にするドッキングポートを含むことが出来る。物理的に結合されたとき、センサデバイス１１０Aとリモートデバイス１５０は、リンク１６０を使って、通信することが出来る。一例では、ドッキングポートは、データ通信とバッテリ充電のために構成される。
【００１２】
リモートデバイス１５０は、リンク１９０を使って、ネットワーク１７０と通信するように構成される。一例では、リンク１９０は、ルータ、ゲートウェイ、サーバ、コンピュータ、あるいは他のデバイスなどのネットワークデバイスとの有線接続を含む。一例では、リンク１９０は、赤外線チャネルあるいは無線周波数チャネルを用いて送られるシンボルに基づく無線通信チャネルを含む。リンク１９０は、ブルートゥースRF通信チャネルを含むことが出来る。ネットワーク１７０は、ローカルエリアネットワークあるいは、インターネットのようなワイドエリアネットワークを含むことが出来る。
【００１３】
センサデバイス１１０Aは、リンク１８０及び１６０の一方、あるいは、両方を用いて、データと命令を通信することが出来る。一例では、センサデバイス１１０Aによって生成されるデータは、リアルタイムで、あるいは、ほぼリアルタイムで、リモートデバイス１５０に通信される。一例においては、センサデバイス１１０Aによって生成されたデータは、データが、要求される（プル）あるいは、センサデバイス１１０Aからの命令内に含まれる（プッシュ）まで、格納される。例えば、ユーザは、センサデバイス１１０Aを、リモートデバイス１５０Aのドッキングポートで、接続し、データをダウンロードするルーチンを開始することができる。これは、また、ファームウェアあるいは他のプログラミングを同期し、あるいは、更新することを含む。
【００１４】
図２は、一例に従った、センサデバイス１１０Bを図示する。図示された例においては、センサデバイス１１０Bは、センサ素子８０A、筐体９２、インタフェース８２、電源モジュール８４、通信モジュール８８、メモリ８６及びプロセッサ９０を含む。
【００１５】
センサ素子８０Aは、測定されたパラメータに対応する信号を生成するように構成された１以上のセンサを含む。測定されたパラメータは、組織の酸素化、あるいは、幾つかが本文書のどこかで説明される、 他のパラメータなどの生理学的パラメータを含むことが出来る。センサ素子８０Aは、図示された例において、少なくとも部分的に、筐体９２の表面上に配置され、テストされる組織に接触するように構成される。
【００１６】
筐体９２は、素子、モジュール、及び、ここに幾つかが説明される他のコンポーネントを担持するプラスチック構造を含むことが出来る。筐体９２は、携帯可能に構成され、一例では、ユーザによる扱いに適したハンドル部を有する。筐体９２は、堅固なプラスチックを含むことができ、他のコンポーネントは、やわらかいゴムあるいはシリコーンで形成されることが出来る。一例では、筐体９２は、センサデバイス１１０Bが、片手での酸素飽和度測定に使用されるのに適している。様々な例においては、筐体９２は、軍事用途のために、耐久性を有する。一例では、筐体９２は、耐水性である。一例では、筐体９２は、装置が患者の表面に長時間取り付けられるように、ストラップあるいはバンドを含む。
【００１７】
インタフェース８２は、ディスプレイ、キーパッド、タッチスクリーンあるいは、オーディオコンポーネント（マイク、あるいは、スピーカなど）の１以上の任意の組み合わせを含むことが出来る。一例では、インタフェース８２は、ユーザがセンサデバイス１１０Bの動作を制御することができるように、タッチスクリーンを含む。
【００１８】
電源モジュール８４は、バッテリ、あるいは、他の電源を含むことが出来る。一例では、電源モジュール８４は、充電可能バッテリを含む。電源モジュール８４は、ドッキングステーションに接続されたとき、充電されることができ、あるいは、他の手段により充電されることが出来る。
【００１９】
通信モジュール８８は、例えば、図１において図示されている他の素子との通信を可能にする回路及びコンポーネントを含むことが出来る。通信モジュール８８は、他の中でも、RFトランシーバ、誘導通信モジュール、あるいは、赤外線通信モジュールを含むことが出来る。
【００２０】
メモリ８６は、プロセッサ９０によって使用されるための命令の格納、あるいは、測定されたパラメータに対応するデータの格納を提供する。一例では、メモリ８６は、患者情報あるいはデバイス情報の格納を提供する。測定されたデータ、生のデータ、あるいは、他のデータは、メモリ８６に格納され、ドッキングステーション、通信モジュール８８あるいは他の手段により、リモートデバイスへ、遠隔測定送信されることが出来る。一例では、メモリ８６は、ツールを使用しないで、ユーザによって取り外しできる、（カードあるいはチップなどの）物理的デバイスである。
【００２１】
プロセッサ９０は、１以上のアナログあるいはデジタルプロセッサを含む。プロセッサ９０は、この文書の他のところで説明されるような方法を行うための命令のセットを実行するように構成されることが出来る。プロセッサ９０は、図１に図示されるような、他の素子との通信を制御するように構成されることが出来る。さらに、プロセッサ９０は、電源モジュール８４の機能をモニタし、あるいは、管理することができ、メモリ８６からデータを読んだり、データを書いたり、格納されたデータへのアクセスを制御したり、他の機能を実行したりすることが出来る。
【００２２】
図３は、一例に従った、センサ素子８０Bを図示する。センサ素子８０Bは、表面上にアクセス可能なように構成される。一例では、センサ素子８０Bは、患者の組織面に接触して、操作されることが出来る。
【００２３】
センサ素子８０Bは、図示された例においては、検出器３２A、放射器３４A、放射器３４B及び検出器３２Bを含む。センサの異なる配置、異なる数のセンサ、及び、異なる種類のセンサを含む、他の構成も考慮することが出来る。センサ素子８０Bの表面のスイッチ３６は、組織の存在を検出し、あるいは、組織に接触するために、構成される。
【００２４】
その図においては、検出器３２A、発光器３４A、発光器３４B、及び検出器３２Bは、組織酸素化の測定を提供するように構成された光素子である。組織酸素化は、時々領域的酸素飽和度と呼ばれるが、異なる長さの経路に沿って、組織を貫通して、特定の波長の光が通過することによって測定されることが出来る。この例では、発光器３４Aと発光器３４Bは、特定の波長の光を放射し、プロセッサ９０は、それらの動作を制御する。発光器３４A及び発光器３４Bの動作と共に、検出器３２A及び３２は、光を受光し、それぞれが、電気出力信号を提供する。プロセッサ９０は、電気出力信号を使って、組織酸素化を決定する命令を実行する。
【００２５】
縁（curb）３０は、センサ素子８０Bの周辺の周りの上昇された部分として構成され、光シールドを提供する。外部光源からの汚染光は、検出器３２A及び３２Bによって測定される光に影響を与え、そして、組織酸素化測定の精度を劣化させることが出来る。
【００２６】
一例においては、センサ素子８０Bは、患者の組織の表面（頭部あるいは、ふくらはぎのような）に合致する柔軟な膜を含み、外部光を排除するのに良いシールを提供する。センサ素子８０Bは、柔軟な回路上に搭載された面搭載コンポーネントを含むことが出来る。
【００２７】
一例においては、センサ素子８０Bは、筐体９２に固定的に取り付けられ、有線接続によって、プロセッサ９０に接続される。他の例では、センサ素子８０Bは、フィールド取替え可能コンポーネントであり、ツールあるいは特殊な手順をすることなく、筐体９２に取り付けられることができ、素子８０Bは、電気コネクタ及び、ソケットあるいは無線リンク（近接場、あるいは、ファーフィールド）によって、プロセッサ９０と通信する。
【００２８】
一例では、センサ素子８０Bは、現場において、ユーザが取り替え可能である。異なる検出器、センサあるいはコンポーネントの集合セットが利用可能である。このように、ユーザは、特定の測定に適した光素子特性（サイズ、波長、及び間隔）で、センサ素子８０Bを選択可能である。例えば、第１のセンサ素子８０Bは、第１の特定の組織の浸透深さの測定に適し、特定の患者の体格、体重、あるいは年齢に適し、第２のセンサ素子８０Bは、第２の特定の組織の浸透深さの測定に適し、異なる特定の患者の体格、体重、あるいは年齢に適することが出来る。
【００２９】
さらに、ユーザは、組織酸素飽和度に適した第１のセンサ素子８０Bを、パルスオキシメトリと温度測定に適した第２のセンサ素子８０Bに置き換えることが出来る。センサ素子８０Bは、プロセッサ９０が、結合されるセンサ素子８０Bの種類に基づいたデータ計算を適切に行えるように、較正情報と他のデータに符号化される。
【００３０】
一例においては、プロセッサ９０上で走るプログラムは、異なるセンサ素子８０Bが接続されることを決定し、特定のセンサ素子８０Bのための識別情報の入力を要求するユーザプロンプトが提供される。
【００３１】
図４は、一例に従った、方法のフローチャート４００を図示する。方法４００は、センサデバイスの形成に関連する。
【００３２】
４０２において、光モジュールは、接触面に結合される。光モジュールは、１以上の発光素子と１以上の受光素子を含む。発光素子と受光素子の組み合わせは、一例に従った、組織酸素飽和度測定のために構成される。さらに、受光素子と発光素子は、パルスオキシメトリを構成することが出来る。光モジュールは、発光ダイオードとフォトディテクタを含む。
【００３３】
４０４において、光シールドが提供される。一例では、光シールドは、フォトディテクタを囲むように構成された、持ち上がった縁（raised curb）を含む。光シールドは、シリコーンあるいは他の対応した材料で形成されることができ、テストを受ける患者の組織に接触するとき、光モジュールから光を排除するように配置されることが出来る。
【００３４】
４０６において、光モジュールは、プロセッサに結合されることが出来る。これは、電気接続を形成することを含むことが出来る。プロセッサは、メモリ、プロセッサ、インタフェース及びスイッチも含む、他のコンポーネントに結合されることが出来る。
【００３５】
４０８において、方法４００は、プロセッサを構成することを含む。これは、プロセッサにアクセス出来、この文書の他のところで説明されるルーチンを実装するように構成される、命令とデータを提供することを含むことが出来る。データは、ルックアップテーブルの形態で、メモリに格納されることが出来る。リモートモジュールあるいはリモートプロセッサは、実行可能な命令をダウンロードするために、デバイスに電気接続されることが出来る。
【００３６】
４１０において、表示モジュールが、プロセッサに結合される。表示モジュールは、タッチスクリーンあるいは、図２にインタフェース８２と図示されているような、インタフェースを含むことが出来る。
【００３７】
４１２において、スイッチは、デバイスを制御するように構成される。スイッチは、タッチスクリーンスイッチ、近位検出スイッチ、マニュアルスイッチあるいは他の種類のスイッチを含むことが出来る。スイッチは、プロセッサに、生理学的パラメータの読み込みと、計算を開始するように命令するように構成されることが出来る。
【００３８】
図５は、一例に従った、方法５００のフローチャートを図示する。フローチャート５００は、図２に示されたようなデバイスを用いて、生理学的パラメータを測定することに関する。
【００３９】
５０２において、方法５００は、デバイスに電力を加えることを含む。これは、測定をする準備のために、回路あるいはルーチンを起動するための、電気スイッチを手動で作動することを含む。
【００４０】
５０４において、方法５００は、実行されるべき測定を選択することを含む。測定は、組織酸素飽和度(rSO2)、温度、血圧、脳酸素飽和度（cerebral oximetry）、ヘモグロビンインデックス(HbI)、組織インデックス(TI)、パルス強度、パルスオキシメトリ(SpO2)、パルス速度、及び、他の測定を決定することを含むことが出来る。
【００４１】
５０６において、方法５００は、センサと患者の組織との間の接触を検出することを含む。これは、センサ素子８０Bと患者の組織領域の間の接触を検出することを含む。ユーザは、センサ素子８０Bを、組織と物理接触させるために、デバイスを操作することが出来る。例えば、ユーザアクセスができるプッシュボタンスイッチが操作されることが出来、スイッチの作動の検出に応答して、プロセッサ９０は、センサ素子８０Bを管理し、生理学的パラメータについてのデータを生成するためのルーチンを実行する。
【００４２】
一例においては、タッチスイッチ３６は、接触を検出し、そして、生理学的パラメータについてのデータを生成するために用いられる。タッチスイッチ３６は、キャパシタンスベースのスイッチを含むことが出来る。例えば、キャパシタンスベースのスイッチの作動は、組織の接触に応答して、センサ素子８０B上に取り付けられたセンサ素子のキャパシタンスの変化として検出されることが出来る。このように、センサ素子が、患者の組織と接触されるとき、センサデバイス１１０Bは、組織を検出し、測定ルーチンを開始する。組織の接触あるいは組織検出機構の他の種類も考えられた。例えば、機械スイッチ、誘導センサ、光センサ、ピエゾ抵抗素子あるいは圧電センサも使うことが出来る。
【００４３】
５０８において、プロセッサ９０は、生理学的パラメータを決定するための後の処理に用いられるデータを収集するルーチンを開始する。プロセッサ９０は、組織との接触を検出してからトリガ信号を受信すると、命令を実行する。一例では、これは、１以上の発光ダイオードをONする命令を実行し、所定のシーケンスで、１以上のフォトディテクタから出力信号を受信することを含む。例えば、発光ダイオード及びセンサは、一つの測定が、他の測定の結果に干渉しないように、特定の方法で同期される。
【００４４】
５１０において、結果が生成される。これは、組織酸素化あるいは他の測定を決定するために、プロセッサ９０を用いてルーチンを実行することを含む。一例においては、これは、データを生成するために、格納された命令を用いることを含む。格納された命令は、較正情報を含むことが出来る。較正情報は、患者の特定情報に基づいて、格納されたデータから選択されることができ、患者の特定情報は、識別データを符号化するために、データリーダあるいは他の手段を用いて取得することが出来る。
【００４５】
５１２において、データは通信される。これは、データをユーザアクセスできるディスプレイに表示し（インタフェース８２など）、データをリモートデバイス（図１に図示されるリモートデバイス１５０など）、あるいは、ネットワーク１７０に結合されたデバイス（図１）に通信することを含むことが出来る。一例では、データは、ディスプレイを用いて通信され、同時に（あるいは、他のときに）ネットワークリンクを用いて通信される。ネットワークへ通信されるデータは、ユーザが読むことが出来る形態に完全に処理されるか、符号化され得、あるいは、データは、測定信号に対応し、他のデータを導出するための後の処理に適した生のデータを含むことが出来る。
【００４６】
［様々な注意書きと例］
ここに説明されたような、片手での領域的酸素飽和度測定デバイスは、事故現場、病院あるいは戦場など、緊急時の環境において用いられることが出来る。
【００４７】
本主題の一例は、バッテリ駆動であり、様々な環境において、患者の特定部チェックあるいは連続モニタのために使用できる。デバイスの例は、携帯型で、目的のパラメータの迅速で正確な読み取りを提供する。データを収集するために、ユーザは、患者の組織部分にセンサモジュールを配置し、結果は、生成され、ほぼリアルタイムで表示される。
【００４８】
一例では、LEDディスプレイを含み、rSO2とHbI 値を測定し、表示するように構成される。検出素子は、柔軟な回路コンポーネントを含み、２以上の波長を用いて、結果を生成するよう構成されることが出来る。
【００４９】
結果は、糖尿病及び、先天性心障害などの医学的状態の診察を補助するためのデータを含むことが出来る。怪我や外傷の治療は、ここに説明されるようなデバイスによって促進されることが出来る。デバイスの例は、やけど、挫傷、震とう／軽い外傷性脳損傷、ショック、あるいは、他の血液量不足状態を煩う患者の診察及び治療のために用いられることが出来る。さらに、そのようなデバイスは、整形手術、あるいは、血管手術の間、組織の酸素化を調べるために用いられることが出来る。新生児スクリーニングは、また、本デバイスの例を用いて実行することが出来る。一例は、物理療法や運動療法などの運動学的用途あるいは条件付け作業において使用するのに適した筐体を含む。
【００５０】
例１は、ハンドヘルドデバイスなどの主題を含む、あるいは、用いることができ、接触面、光モジュール、プロセッサ、表示モジュール、及び、ユーザ操作スイッチを含む、あるいは、用いることが出来る。光モジュールは、接触面に配置されることが出来る。光モジュールは、少なくとも１つの発光素子と少なくとも１つの受光素子を有する。少なくとも１つの受光素子は、接触面に関し、光シールドを有する。光シールドは、接触面が、患者の組織に当接するとき、接触面からの周囲光を排除するように構成される。プロセッサは、光モジュールに結合され、組織に対応する酸素飽和度の測定値を決定する命令を実行するよう構成される。表示モジュールは、プロセッサと結合し、酸素飽和度の測定値を示すように構成される。ユーザ操作可能スイッチは、プロセッサ、光モジュール、表示モジュールの少なくとも１つを起動するように構成される。
【００５１】
例２は、例１の主題を含み、あるいは、その主題をオプションとして、組み合わせることができ、オプションとして、ユーザ操作可能スイッチが接触面に結合されることを含む。
【００５２】
例３は、例１の主題を含み、あるいは、その主題をオプションとして、組み合わせることができ、オプションとして、ユーザ操作可能スイッチが、組織と接触面が接触するとき、作動されるように構成されることを含む。
【００５３】
例４は、例１の主題を含み、あるいは、その主題をオプションとして、組み合わせることができ、オプションとして、少なくとも１つの発光素子が、所定の組織深さにおいて、領域的酸素飽和度の測定値に対応する距離だけ、少なくとも１つの受光素子から離れていることを含む。
【００５４】
例５は、例１の主題を含み、あるいは、その主題をオプションとして、組み合わせることができ、オプションとして、光シールドが、持ち上がった縁（raised curb）を含むことを含む。
【００５５】
例６は、例１の主題を含み、あるいは、その主題をオプションとして、組み合わせることができ、オプションとして、プロセッサに結合された無線送信機を含み、無線送信機は、リモートデバイスに、酸素飽和度の測定値を遠隔測定送信するように構成されていることを含む。
【００５６】
例７は、例１の主題を含み、あるいは、その主題をオプションとして、組み合わせることができ、オプションとして、接触面に結合され、プロセッサに圧力の測定値を提供するように構成された圧力センサを含む。
【００５７】
例８は、例１の主題を含み、あるいは、その主題をオプションとして、組み合わせることができ、オプションとして、接触面に結合され、プロセッサに温度の測定値を提供するように構成された温度センサを含む。
【００５８】
例９は、例１の主題を含み、あるいは、その主題をオプションとして、組み合わせることができ、オプションとして、接触面に結合され、ユーザによって握られるように構成されたハンドル部を含む。
【００５９】
例１０は、例１の主題を含み、あるいは、その主題をオプションとして、組み合わせることができ、オプションとして、プロセッサは、領域的酸素飽和度の測定値を生成するように構成されることを含む。
【００６０】
例１１は、光モジュールを接触面に結合することと、少なくとも１つの接触面に光シールドを提供することと、プロセッサを、光モジュールと通信するように結合することと、表示モジュールを結合することと、ユーザ操作可能スイッチを構成することと、を含む方法を含む、あるいは、用いることが出来る。光モジュールは、少なくとも１つの発光素子と少なくとも１つの受光素子とを有する。光シールドは、接触面が患者の組織と当接するとき、接触面から周囲の光を排除するように構成される。この方法は、プロセッサに、組織に対応する酸素飽和度の測定値を決定する命令を実行させるように構成されることを含む。この方法は、表示モジュールをプロセッサに結合することを含む。表示モジュールは、酸素飽和度の測定値を示すように構成される。この方法は、ユーザ操作可能なスイッチを、光モジュール、プロセッサ、及び、表示モジュールの少なくとも１つを起動するように構成することを含む。
【００６１】
例１２は、例１１の主題を含み、あるいは、その主題を、組み合わせることができ、オプションとして、ユーザ操作可能スイッチを構成することは、組織が接触面と接触するとき、スイッチを作動するように構成することを含む。
【００６２】
例１３は、例１１の主題を含み、あるいは、その主題を、組み合わせることができ、オプションとして、組織内への光の浸透の所定の深さに基づいて、少なくとも１つの発光素子と少なくとも１つの受光素子の相対的な位置を選択することを含む。
【００６３】
例１４は、例１１の主題を含み、あるいは、その主題を、組み合わせることができ、オプションとして、光モジュールを接触面に結合することは、持ち上がった縁（raised curb）を提供することを含む。
【００６４】
例１５は、例１１の主題を含み、あるいは、その主題を、組み合わせることができ、オプションとして、無線送信機をプロセッサに結合し、無線送信機は、リモートデバイスに、酸素飽和度の測定値を遠隔測定送信するように構成されることを含む。
【００６５】
例１６は、例１１の主題を含み、あるいは、その主題を、組み合わせることができ、オプションとして、組織に関して、血圧に対応した信号を生成するようにセンサを構成することを含む。
【００６６】
例１７は、例１１の主題を含み、あるいは、その主題を、組み合わせることができ、オプションとして、組織に関して、温度に対応した信号を生成するようにセンサを構成することを含む。
【００６７】
例１８は、例１１の主題を含み、あるいは、その主題を、組み合わせることができ、オプションとして、プロセッサは、領域的酸素飽和度の測定値を生成するように構成されることを含む。
【００６８】
例１９は、筐体、複数の光素子、光シールド、及び、処理モジュールを含むことができるような、システムを含むことができ、あるいは、用いることが出来る。筐体は、接触面を有し、ハンドルグリップ部を有する。接触面は、実質的に、ハンドルグリップ部に対し、移動しない。複数の光素子は、接触面に結合されている。光シールドは、接触面に結合され、接触面が患者の組織表面に当接するとき、複数の光素子からの周囲の光を排除するように構成される。処理モジュールは、複数の光素子からの信号に基づいて、組織酸素飽和度の測定値を決定するように構成される。
【００６９】
例２０は、例１の主題を含み、あるいは、その主題を、組み合わせることができ、オプションとして、接触面は、ハンドルグリップ部に堅固に取り付けられることを含む。
【００７０】
例２１は、例１の主題を含み、あるいは、その主題を、組み合わせることができ、オプションとして、複数の光素子は、少なくとも１つの発光素子と少なくとも１つの受光素子とを含むことを含む。
【００７１】
例２２は、例１の主題を含み、あるいは、その主題を、組み合わせることができ、オプションとして、光素子は、光シールドに対し、離れて配置されていることを含む。
【００７２】
例２３は、例１の主題を含み、あるいは、その主題を、組み合わせることができ、オプションとして、処理モジュールは、デジタルプロセッサを含むことを含む。
【００７３】
これらの非限定的な例のそれぞれは、それ自身で成り立ち、１以上の他の例と、様々な置換、あるいは、組み合わせにおいて組み合わせられることが出来る。
【００７４】
上記詳細な説明は、詳細な説明の一部を形成する添付の図面への参照を含む。図面は、例示的に、本発明が実装されることができる特定の実施形態を図示する。これらの実施形態は、また、ここでは、「例」としても参照される。そのような例は、図示され、あるいは、説明されたものに加えた要素を含むことが出来る。しかし、本発明者は、また、図示され、あるいは、説明されたそれらの要素のみが提供される例も考えている。更に、本発明者は、また、ここに図示あるいは説明された、特定の例（あるいは、１以上のその側面）について、あるいは、他の例（あるいは、１以上のその側面）について、図示された、あるいは、説明されたそれらの要素の任意の組み合わせ、あるいは、置換を用いた例も考えている。
【００７５】
この文書と、参照によって組み込まれた任意の文書との間で不整合な語句の使用があった場合には、この文書の使用が優先する。
【００７６】
この文書においては、語句「ａ」あるいは「ａｎ」は、「at least one」あるいは「one or more」の任意の他の例あるいは語句使用とは独立して、特許文書によくあるように、１つ、あるいは、１以上を含むように、用いられる。この文書においては、語句「ｏｒ」は、非排他的であるように、あるいは、他に示されない限り、「ＡまたはＢ」が、「ＡであるがＢではない」、「ＢであるがＡではない」及び「Ａ及びＢ」を含むように、参照するために用いられる。この文書においては、語句「including」及び「in which」は、それぞれの語句「comprising」及び「wherein」の普通の英語の等価語として用いられる。また、以下の請求項においては、語句「including」及び「comprising」は、開かれた語句であり、つまり、請求項内で、そのような語句の後に列挙されるそれらに加えた要素を含む、システム、デバイス、製品、化合物、製剤、あるいは、処理は、依然、その請求項の範囲内に入るとみなされる。さらに、以下の請求項においては、語句「first」、「second」及び「third」などは、単なるラベルとして用いられ、それらの物に、数字的要求を課すことは意図していない。
【００７７】
ここに説明される方法の例は、少なくとも部分的に、マシンあるいはコンピュータ実装されることが出来る。ある例は、上記例に説明される方法を実行する電子デバイスを構成するように動作可能な命令が符号化された、コンピュータ読み取り可能な媒体、あるいは、マシン読み取り可能な媒体を含むことが出来る。そのような方法の実装は、マイクロコード、アセンブリ言語コード、高級言語コードなどのコードを含むことが出来る。そのようなコードは、様々な方法を実行する、コンピュータ読み取り可能な命令を含むことが出来る。コードは、コンピュータプログラム製品の一部を形成することが出来る。更に、一例では、コードは、実行中あるいは他のときに、１以上の揮発性、非一時的、あるいは、不揮発性有形コンピュータ読み取り可能な媒体上に有形に格納されることが出来る。これらの有形なコンピュータ読み取り可能な媒体の例は、ハードディスク、取り外し可能な磁気ディスク、取り外し可能な光ディスク（例えば、コンパクトディスク及びデジタルビデオディスク）、磁気カセット、メモリカードあるいはスティック、ランダムアクセスメモリ（ＲＡＭ）、リードオンリーメモリ（ＲＯＭ）などを含むが、これらには限定されない。
【００７８】
上記説明は、例示目的であり、限定的であることは意図しない。例えば、上記例（あるいは、１以上のその側面）は、互いに組み合わせて用いられることが出来る。他の実施形態は、上記説明を読んだ当業者によるなどして、用いられることが出来る。要約書は、読者が、技術開示の性質を迅速に確認することが出来るようにするために提供される。それは、請求項の範囲あるいは意味を解釈し、あるいは、限定するために用いられないだろうという理解を申し上げる。また、上記詳細な説明においては、様々な部品は、開示を滑らかにするために、互いにグループ化されることが出来る。これは、記載されていない開示された特徴が、任意の請求項に本質的であることを意図していると解釈されるべきではない。むしろ、発明の主題は、特定の開示の実施形態のすべての特徴より少ない物の中にあることが出来る。そして、以下の請求項は、ここに、例あるいは実施形態として、詳細な説明に組み込まれ、各請求項は、それ自体、別個の実施形態として成り立ち、そのような実施形態は、様々な組み合わせ、あるいは、置換において、互いに組み合わせられると考える。
【図１】
2016517310.tif 000003
【図２】
2016517310.tif 000004
【図３】
2016517310.tif 000005
【図４】
2016517310.tif 000006
【図５】
2016517310.tif 000007
【国際調査報告】
2016517310.tif 000008